(57)【要約】  【課題】  熱によるカラーホイール１３の特性劣化を回避し、インテグレータロッドの光入射側にカラーホイール１３を配置可能にする。カラーホイール１３を通過した時の光の混色を最小限に抑えて投影画像の画質劣化を回避する。  【解決手段】  各光源部からの出射光（光束１１ａ・１１ｂ）を、カラーホイール１３上で基準軸Ａ・Ｂが離間するようにカラーホイール１３に入射させる。これにより、大きな熱エネルギーがカラーホイール１３上で１点に集中して発生することがなくなる。また、カラーホイール１３の各色フィルタ１３Ｒ・１３Ｇ・１３Ｂを、回転時に隣り合う色フィルタの境界線が各基準軸Ａ・Ｂを略同時に横切る形状で形成する。これにより、各出射光がカラーホイール１３の隣り合う色フィルタにまたがって入射するときでも、そのまたがって入射している時間割合を各出射光のトータルで最小限に抑えることができる。【選択図】      図１
2006308777.tif 000002
【特許請求の範囲】
【請求項１】
光を出射する複数の光源部と、
同一面上に並べて配置される異なる色のフィルタを、各光源部からの各出射光の光路を横切るように回転移動させることによって、入射する各出射光を時分割で異なる色光に分解する時分割色分解手段とを備えた照明光学系であって、
各出射光の光路中で、各出射光の光軸またはその光軸を含んでその延長線上にある軸を基準軸とすると、
上記時分割色分解手段に入射する各出射光の各基準軸は、互いに離間しており、
各色フィルタは、回転時に隣り合う色フィルタの境界線が各基準軸を略同時に横切る形状で形成されていることを特徴とする照明光学系。
【請求項２】
各光源部からの出射光を合成する合成部をさらに備えており、
上記時分割色分解手段は、上記合成部の光入射側に配置されていることを特徴とする請求項１に記載の照明光学系。
【請求項３】
上記各光源部は、光を発光する発光部と、その光を集光する第１集光部と、上記第１集光部から出射される光の光路を反射によって折り曲げる反射ミラーとをそれぞれ含んでおり、
上記各発光部は、上記合成部の光軸を挟んで対向配置されていることを特徴とする請求項２に記載の照明光学系。
【請求項４】
上記各光源部は、各反射ミラーにて反射された光を集光する第２集光部をさらに含んでおり、
上記第２集光部は、上記各光源部で共有されていることを特徴とする請求項３に記載の照明光学系。
【請求項５】
各光源部は、各基準軸の一部が上記合成部の光軸に対して傾くように配置されており、
上記合成部の光入射側に設けられ、上記合成部に入射する直前の各光の基準軸が上記合成部の光入射面に対して略垂直となるように、上記各光を透過偏向させる偏向部材をさらに備えていることを特徴とする請求項２から４のいずれかに記載の照明光学系。
【請求項６】
上記合成部は、光出射面よりも光入射面のほうが面積の広いテーパーロッドであることを特徴とする請求項２から５のいずれかに記載の照明光学系。
【請求項７】
同一面上に並べて配置される異なる色のフィルタを、複数の光束を横切るように回転移動させることによって、入射する各光束を時分割で異なる色光に分解する時分割色分解手段を備えた照明光学系であって、
上記複数の光束は、上記時分割色分解手段の隣り合う色フィルタの同じ境界線に入射するときに、上記境界線の方向に並んで入射することを特徴とする照明光学系。
【請求項８】
請求項１から７のいずれかに記載の照明光学系と、
上記照明光学系から供給される光を画像データに応じて変調する光変調素子と、
上記光変調素子にて変調された光を被投影面に投影する投影光学系とを備えていることを特徴とする画像投影装置。
【発明の詳細な説明】
【技術分野】
【０００１】
本発明は、例えばプロジェクターに用いられ、２個のランプから出射される光束を合成して光変調素子（例えばＤＭＤ（Digital Micromirror Device；米国テキサスインスツルメント社製））に供給する照明光学系と、それを備えた画像投影装置とに関するものである。
【背景技術】
【０００２】
現在、プロジェクター（特にデータプロジェクター）では高輝度化が求められているが、現在供給されているランプでシステム効率の良いアークの小さいものは、その出力に限界がある。このため、そのようなランプを１個だけ用いたシステム（画像投影装置）では、システムとしての出力が制限され、高輝度化に限界がある。一方、高出力のランプは一般に寿命が短く、ランプ交換など市場において頻繁にメンテナンスが必要となる。そこで、現在では、プロジェクター用のランプの光学系として、単独では出力の限られたランプを２個用いてシステムとして大きな出力を得る照明光学系が主流となっている。
【０００３】
このような照明光学系としては、例えば特許文献１に開示されたものがある。特許文献１の照明光学系では、２つの光源からの光をインテグレータロッドで合成した後、カラーホイールを介して光変調素子（例えばＤＭＤ）に供給するようにしている。インテグレータロッドを用いることにより、照度分布を均一化した光をカラーホイールを介して光変調素子に供給することができる。
【０００４】
一方、このようなインテグレータロッドを用いない照明光学系としては、例えば特許文献２に開示されたものがある。特許文献２の照明光学系では、各光源から出射される光の集光位置が、各光源に対応する集光装置（例えば楕円鏡）によってカラーホイール上またはその近傍で重畳するように、各光源および各集光装置を配置している。これにより、カラーホイール上またはその近傍に形成される光源像を最小限に抑え、カラーホイールの大型化や混色による画像劣化を避けるようにしている。
【特許文献１】米国特許第６５０５９３９号明細書
【特許文献２】特許第３５９６３５７号公報
【発明の開示】
【発明が解決しようとする課題】
【０００５】
ところが、特許文献１のように、カラーホイールをインテグレータロッドの光出射側に配置すると、インテグレータロッドの光出射面と光変調素子の素子面とは光学的に略共役となっているので、カラーホイールの各色フィルタの境界部分がインテグレータロッドの光出射面を横切ったときに、上記境界部分を挟む各色フィルタを通過する光の色情報（混色）がそのままが上記素子面に反映される。その結果、素子面上で部分的な色むらが生じ、光変調素子を介してスクリーンに投影される画像の品位が劣化する。なお、各色フィルタの境界部分がインテグレータロッドの光出射面を横切る際に光変調素子をＯＦＦすることは、光利用効率（明るさ）の低下を招き、妥当ではない。したがって、上記の不都合を回避するためには、カラーホイールは、インテグレータロッドの光入射側に配置されることが望ましい。
【０００６】
しかし、特許文献２のように、各光源から出射される光の集光位置を、各光源に対応する集光装置によってカラーホイール上またはその近傍で重畳させると、その集光位置に大きな熱エネルギーが発生する。カラーホイールの各色フィルタは例えば誘電体膜で形成されており、耐熱性に劣るため、上記のような大きな熱エネルギーがカラーホイール上またはその近傍で１点に集中して発生すると、カラーホイールの特性が劣化する。したがって、特許文献２のように、各光源からの各出射光の集光位置をカラーホイール上またはその近傍で重畳させることは、インテグレータロッドの光入射側にカラーホイールを配置することの妨げとなる。
【０００７】
そこで、カラーホイール上で各光源からの光束が重畳しないように、各光束をずらせてカラーホイールに入射させることで、インテグレータロッドの光入射側にカラーホイールを配置可能にすることも考えられる。しかし、この場合は、各光束をずらす方向を適切に設定しないと、各光束が隣り合う色のフィルタにまたがって入射している時間割合がトータルで多くなり、混色光の増大による投影画像の画質劣化を招く。
【０００８】
本発明は、上記の問題点を解決するためになされたものであって、その目的は、カラーホイールの特性劣化を回避できることで、インテグレータロッドの光入射側にカラーホイールを配置することができ、しかも、カラーホイール通過時の光の混色を最小限に抑えて投影画像の画質劣化を回避することができる照明光学系と、それを備えた画像投影装置とを提供することにある。
【課題を解決するための手段】
【０００９】
本発明の照明光学系は、光を出射する複数の光源部と、同一面上に並べて配置される異なる色のフィルタを、各光源部からの各出射光の光路を横切るように回転移動させることによって、入射する各出射光を時分割で異なる色光に分解する時分割色分解手段（例えばカラーホイール）とを備えた照明光学系であって、各出射光の光路中で、各出射光の光軸またはその光軸を含んでその延長線上にある軸を基準軸とすると、上記時分割色分解手段に入射する各出射光の各基準軸は、互いに離間しており、各色フィルタは、回転時に隣り合う色フィルタの境界線が各基準軸を略同時に横切る形状で形成されていることを特徴としている。
【００１０】
本発明の照明光学系は、各光源部からの出射光を合成する合成部をさらに備えており、上記時分割色分解手段は、上記合成部の光入射側に配置されていることが望ましい。
【００１１】
本発明の照明光学系において、上記各光源部は、光を発光する発光部と、その光を集光する第１集光部と、上記第１集光部から出射される光の光路を反射によって折り曲げる反射ミラーとをそれぞれ含んでおり、上記各発光部は、上記合成部の光軸を挟んで対向配置されていることが望ましい。
【００１２】
本発明の照明光学系において、上記各光源部は、各反射ミラーにて反射された光を集光する第２集光部をさらに含んでおり、上記第２集光部は、上記各光源部で共有されていてもよい。
【００１３】
本発明の照明光学系において、各光源部は、各基準軸の一部が上記合成部の光軸に対して傾くように配置されており、上記合成部の光入射側に設けられ、上記合成部に入射する直前の各光の基準軸が上記合成部の光入射面に対して略垂直となるように、上記各光を透過偏向させる偏向部材をさらに備えていてもよい。
【００１４】
本発明の照明光学系において、上記合成部は、光出射面よりも光入射面のほうが面積の広いテーパーロッドであってもよい。
【００１５】
本発明の照明光学系は、同一面上に並べて配置される異なる色のフィルタを、複数の光束を横切るように回転移動させることによって、入射する各光束を時分割で異なる色光に分解する時分割色分解手段を備えた照明光学系であって、上記複数の光束は、上記時分割色分解手段の隣り合う色フィルタの同じ境界線に入射するときに、上記境界線の方向に並んで入射することを特徴としている。
【００１６】
本発明の画像投影装置は、上述した本発明の照明光学系と、上記照明光学系から供給される光を画像データに応じて変調する光変調素子と、上記光変調素子にて変調された光を被投影面に投影する投影光学系とを備えていることを特徴としている。
【発明の効果】
【００１７】
本発明によれば、各光源部から出射される光は、時分割色分解手段の各色フィルタを通過することで、時分割で異なる色光に分解される。このとき、時分割色分解手段に入射する各出射光の各基準軸は互いに離間しているので、時分割色分解手段上で各出射光の光束が完全に重畳することはない。これにより、時分割色分解手段上で、大きな熱エネルギーが１点に集中して発生することがなく、時分割色分解手段の特性が劣化するのを回避することができる。
【００１８】
したがって、例えば、複数の光束を合成し、照度分布を均一化して出射する合成部（例えばインテグレータロッド）を光路中に設ける場合でも、時分割色分解手段を合成部の光入射側に配置することができる。その結果、合成部を用いる場合でも、各色フィルタの回転位置によって光変調素子をＯＦＦすることなく（光の利用効率を低下させることなく）、時分割色分解手段を合成部の光出射側に配置したときのような、光変調素子の素子面上での部分的な色むらの発生を抑えることができる。
【００１９】
また、時分割色分解手段の各色フィルタは、回転時に隣り合う色フィルタの境界線が各基準軸を略同時に横切る形状で形成されている。これにより、各出射光が隣り合う色フィルタにまたがって入射するときでも、そのまたがって入射している時間割合を各出射光のトータルで最小限に抑えることができる。したがって、時分割色分解手段の通過時における光の混色を最小限に抑えることができ、投影画像の画質劣化を回避することができる。
【００２０】
また、時分割色分解手段に入射する各出射光の各基準軸が互いに離間しており、かつ、回転時に隣り合う色フィルタの境界線が各基準軸を略同時に横切る場合、各光源部からの複数の光束は、回転する時分割色分解手段の隣り合う色フィルタの同じ境界線に入射するときに、上記境界線の方向に並んで入射する。したがって、このような入射の仕方であっても、上述した本発明の効果が得られると言える。
【発明を実施するための最良の形態】
【００２１】
本発明の実施の一形態について、図面に基づいて説明すれば、以下の通りである。
（１．画像投影装置の構成）
図２は、本実施形態に係る画像投影装置の概略の構成を模式的に示す平面図であり、図３は、この画像投影装置の側面図である。本実施形態の画像投影装置は、照明光学系１と、ＤＭＤ２と、投影光学系３とを有している。
【００２２】
照明光学系１は、複数の光源部からの出射光を合成してＤＭＤ２に供給するための光学系であるが、その詳細な構成については後述する。
【００２３】
ＤＭＤ２は、表示画像の画像データに応じてＯＮ／ＯＦＦ駆動される微小ミラーをマトリクス状に配置してなり、照明光学系１から供給される光を画像データに応じて変調する光変調素子である。より詳細には、ＤＭＤ２は、微小ミラーのマトリクス配置によって形成される長方形の画像表示領域を有している。ＤＭＤ２の各ミラーは、１画素に対応しており、矩形の表示領域と４５°の角度をなす偏向軸を有している。各ミラーは、画像データに応じて偏向軸を中心に１２°偏向する。このように、画像データに応じて各ミラーの傾斜角を変化させることにより、照明光学系１から供給される光を各画素ごとに選択的に投影光学系３に入射させることができる。なお、ＤＭＤ２の代わりに例えば反射型や透過型の液晶表示装置で光変調素子を構成することも可能である。
【００２４】
投影光学系３は、ＤＭＤ２にて変調された光を、被投影面であるスクリーン上に拡大して投影するための光学系である。
【００２５】
（２．照明光学系の構成）
照明光学系１は、第１の光源部１１と、第２の光源部１２と、カラーホイール１３と、偏向部材１４と、インテグレータロッド１５と、リレーレンズ群１６と、反射ミラー１７と、プリズムユニット１８とを有している。
【００２６】
ここで、以下での説明の便宜上、「基準軸」を以下のように定義しておく。つまり、「基準軸」とは、第１の光源部１１（または第２の光源部１２）からインテグレータロッド１５に至る各光の光路中で、第１の光源部１１（または第２の光源部１２）の出射光の光軸、またはその光軸を含んでその延長線上にある軸を指すものとする。このように「基準軸」を定義したのは、「光軸」とは、通常、レンズの光学表面の曲率中心を結ぶ線を指すが、本実施形態では第１の光源部１１および第２の光源部１２からの各出射光の光軸が、後述するコンデンサーレンズ４１の曲率中心を通っておらず、それゆえ、「光軸」よりも上記定義の「基準軸」という概念を用いるほうが適切であるからである。以下では、必要に応じて「基準軸」という用語を使用し、第１の光源部１１の基準軸をＡとし、第２の光源部１２の基準軸をＢとする。
【００２７】
第１の光源部１１は、発光部２１と、回転放物面鏡２２と、コンデンサーレンズ２３と、反射ミラー２４と、コンデンサーレンズ４１とで構成されている。
【００２８】
発光部２１は、２つの電極間を放電させることにより白色光を出射する発光管で構成されており、回転放物面鏡２２の焦点に位置している。回転放物面鏡２２は、発光部２１から出射された光を反射させて平行光にする。コンデンサーレンズ２３は、回転放物面鏡２２にて反射され、出射される平行光を収束させる。回転放物面鏡２２とコンデンサーレンズ２３とで、発光部２１から出射される光を集光する第１集光部が構成されている。反射ミラー２４は、コンデンサーレンズ２３から出射される光を後段のコンデンサーレンズ４１の方向に反射させて、その光路を折り曲げる光学素子である。コンデンサーレンズ４１は、反射ミラー２４にて反射された光をインテグレータロッド１５の光入射面１５ａ上に集光する第２集光部を構成している。このコンデンサーレンズ４１は、第１の光源部１１と第２の光源部１２とで共有されている。
【００２９】
第１の光源部１１は、基準軸Ａの一部がインテグレータロッド１５の光軸Ｃに対して傾くように配置されている。つまり、第１の光源部１１は、発光部２１から偏向部材１４に至る光路中で、基準軸Ａが光軸Ｃに対して傾くように配置されている。ただし、第１の光源部１１が反射ミラー２４を有していることにより、基準軸Ａは、反射ミラー２４で折り曲げられている。
【００３０】
一方、第２の光源部１２は、発光部３１と、回転放物面鏡３２と、コンデンサーレンズ３３と、反射ミラー３４と、コンデンサーレンズ４１とで構成されている。
【００３１】
発光部３１は、発光部２１と同様に、２つの電極間を放電させることにより白色光を出射する発光管で構成されており、回転放物面鏡３２の焦点に位置している。また、発光部３１は、インテグレータロッド１５の光軸Ｃを挟んで発光部２１と対向するように配置されている。回転放物面鏡３２は、発光部３１から出射された光を反射させて平行光にする。コンデンサーレンズ３３は、回転放物面鏡３２にて反射され、出射される平行光を収束させる。回転放物面鏡３２とコンデンサーレンズ３３とで、発光部３１から出射される光を集光する第１集光部が構成されている。反射ミラー３４は、コンデンサーレンズ３３から出射される光を後段のコンデンサーレンズ４１の方向に反射させて、その光路を折り曲げる光学素子である。
【００３２】
第２の光源部１２についても、第１の光源部１１と同様に、基準軸Ｂの一部がインテグレータロッド１５の光軸Ｃに対して傾くように配置されている。つまり、第２の光源部１２は、発光部３１と偏向部材１４との間の光路中で、基準軸Ｂが光軸Ｃに対して傾くように配置されている。ただし、第２の光源部１２が反射ミラー３４を有していることにより、基準軸Ｂは、反射ミラー３４で折り曲げられている。
【００３３】
カラーホイール１３は、同一面上に並べて配置される異なる色のフィルタを、第１の光源部１１および第２の光源部１２からの各出射光の光路を横切るように回転移動させることによって、入射する各出射光を時分割で異なる色光に分解する時分割色分解手段である。より具体的には、カラーホイール１３は、赤色光、緑色光、青色光をそれぞれ選択的に透過させる３種の色フィルタ１３Ｒ・１３Ｇ・１３Ｂ（図１参照）を有しており、インテグレータロッド１５の光入射側に設けられている。カラーホイール１３の回転により、カラーホイール１３に入射する白色光の照明光は時間的に赤色光、緑色光、青色光に分解されて出射される。これにより、カラー映像の提供が可能になる。
【００３４】
なお、本実施形態では、カラーホイール１３は、コンデンサーレンズ４１と偏向部材１４との間に配置されているが、偏向部材１４とインテグレータロッド１５との間に配置されていてもよい。
【００３５】
なお、本実施形態では、第１の光源部１１および第２の光源部１２からの各出射光は、カラーホイール１３上では１点には集光しておらず、カラーホイール１３を横切る各基準軸Ａ・Ｂは、離間している。このような各出射光のカラーホイール１３への入射の仕方に本発明の最も大きな特徴があるが、この点については後述する。
【００３６】
偏向部材１４は、インテグレータロッド１５の光入射側に配置され、インテグレータロッド１５に入射する直前の第１の光源部１１からの出射光の基準軸Ａおよび第２の光源部１２からの出射光の基準軸Ｂが、インテグレータロッド１５の光入射面１５ａに対して略垂直となるように（インテグレータロッド１５の光軸Ｃと略平行となるように）、各出射光を透過偏向させるものであり、本実施形態では、屈折型の光学素子である偏向プリズムで構成されている。なお、偏向部材１４の詳細については後述する。
【００３７】
インテグレータロッド１５は、断面が四角形の角柱形状であり、一方の端面である光入射面１５ａから内部に入った光を側面で全反射させて他方の端面である光出射面１５ｂに導き、そこから出射させる。特に、本実施形態では、インテグレータロッド１５は、第１の光源部１１および第２の光源部１２からの出射光を合成し、照度分布を均一化して出射する合成部を構成している。このようなインテグレータロッド１５を用いることにより、照明領域の照度分布を良好にすることができる。インテグレータロッド１５の光軸Ｃは、リレーレンズ群１６の光軸と一致している。
【００３８】
また、偏向部材１４での各出射光の上記偏向により、インテグレータロッド１５の光入射面１５ａ上においては、各出射光の基準軸Ａ・Ｂは離間する。そこで、本実施形態では、基準軸Ａ・Ｂの離間方向が四角形状の光入射面１５ａの長辺方向となるようにインテグレータロッド１５を配置している。より具体的には、基準軸Ａ・Ｂを含む平面と、インテグレータロッド１５の光入射面１５ａの長辺とのなす角が１１．７°となるように、インテグレータロッド１５を配置している。これにより、各出射光を効率よくインテグレータロッド１５に取り込むことができる。
【００３９】
リレーレンズ群１６は、複数のリレーレンズと、光束を規制するための絞りとで構成されており、その光軸がインテグレータロッド１５の光入射面１５ａの中心と光出射面１５ｂの中心とを通る。リレーレンズ群１６は、プリズムユニット１８とともに、インテグレータロッド１５の光出射面１５ｂとＤＭＤ２の素子面（表示領域）とを光学的に略共役にしている。そして、インテグレータロッド１５の光出射面１５ｂとＤＭＤ２の表示領域とは略相似形となっている。これにより、インテグレータロッド１５の光出射面１５ｂの像をＤＭＤ２の素子面上に投影させ、均一にかつ効率よく照明することができる。反射ミラー１７は、リレーレンズ群１６から射出された光をプリズムユニット１８の方向に反射させる。
【００４０】
プリズムユニット１８は、レンズプリズム１９と、全反射プリズム２０とで構成されている。レンズプリズム１９は、第１入射面１９ａおよび第１射出面１９ｂを有しており、全反射プリズム２０は、第２入射面２０ａ、臨界面２０ｂおよび第２射出面２０ｃを有している。レンズプリズム１９および全反射プリズム２０は、第１射出面１９ｂと臨界面２０ｂとが空気層を介して対向するように配置されている。また、レンズプリズム１９の第１入射面１９ａは、照明光をテレセントリックにするために球面形状となっており、レンズ作用を有している。なお、第１入射面１９ａを平面にし、これに平凸レンズを貼り合わせるようにしてもよい。
【００４１】
上記の構成において、第１の光源部１１の発光部２１から出射された光は、回転放物面鏡２２にて反射されて平行光となり、コンデンサーレンズ２３にて収束された後、反射ミラー２４に入射する。そして、反射ミラー２４では、入射光は反射され、コンデンサーレンズ４１にてさらに収束されてカラーホイール１３に入射する。一方、第２の光源部１２の発光部３１から出射された光は、回転放物面鏡３２にて反射されて平行光となり、コンデンサーレンズ３３にて収束された後、反射ミラー３４に入射する。そして、反射ミラー３４では、入射光は反射され、コンデンサーレンズ４１にてさらに収束されてカラーホイール１３に入射する。
【００４２】
カラーホイール１３に入射した各光（白色光）は、カラーホイール１３の回転によって色フィルタ１３Ｒ・１３Ｇ・１３Ｂを順次透過する。これにより、カラーホイール１３からは、時間的に赤、緑、青の各色の光が出射されて偏向部材１４に入射する。
【００４３】
第１の光源部１１および第２の光源部１２からの各出射光は、偏向部材１４にて屈折され、インテグレータロッド１５の光入射面１５ａに対して各基準軸Ａ・Ｂが略垂直となる状態で光入射面１５ａに入射する。そして、これらの各出射光がインテグレータロッド１５にて合成された後、リレーレンズ群１６を介して反射ミラー１７に入射する。入射光は、反射ミラー１７によってその光路を折り曲げられ、プリズムユニット１８に入射する。
【００４４】
プリズムユニット１８に入射した光は、レンズプリズム１９の第１入射面１９ａに入射し、テレセントリックな光線となって第１出射面１９ｂに到達する。このとき、上記入射光は、全反射条件を満たさない角度で第１出射面１９ｂに到達するので、第１出射面１９ｂを透過し、空気層を介して臨界面２０ｂから全反射プリズム２０に入射し、第２入射面２０ａを介してＤＭＤ２に入射する。
【００４５】
ＤＭＤ２では、画像データに応じて各ミラーの傾き角がＯＮとＯＦＦとで変化するが、ＯＮとなったミラーで反射された光（投影光）が、第２入射面２０ａから再び全反射プリズム２０に入射し、臨界面２０ｂに到達する。投影光は、全反射条件を満たす角度で臨界面２０ｂに入射するため、その臨界面２０ｂで全反射され、第２出射面２０ｃから出射された後、投影光学系３を介してスクリーン上に投射される。
【００４６】
以上のように、本実施形態では、第１の光源部１１および第２の光源部１２の両方が反射ミラー２４・３４をそれぞれ有しており、各出射光の光路をともに折り曲げる構成としているので、第１の光源部１１および第２の光源部１２からの出射光を、互いに干渉させることなくインテグレータロッド１５に入射させることができる。したがって、第１の光源部１１および第２の光源部１２からの各出射光を有効利用して、高輝度の投影画像を確実に得ることができる。
【００４７】
また、これに加えて、各発光部２１・３１は光軸Ｃを挟んで対向配置されている。これにより、例えば第１の光源部１１および第２の光源部１２を同じ高さ位置に配置することができる。このように配置すると、投影位置を変化させるとしても、各発光部２１・３１同士を結ぶ軸を中心に装置全体を回転させれば、各発光部２１・３１は鉛直方向に垂直な面に対して傾くことはない。各発光部２１・３１が鉛直方向に垂直な面に対して傾くと、各発光部２１・３１の動作が不安定になるが、上記構成によれば、各発光部２１・３１の動作を安定に保ちながら、装置の設置状態だけを変化させることができる。
【００４８】
また、各発光部２１・３１の対向配置により、電気系および冷却系も考慮してコンパクトでまとまりのよい画像投影装置を実現することができる。つまり、電気系については、各発光部２１・３１に電源を供給するための電源を例えば反射ミラー２４・２４の間に配置することができ、空きスペースを有効利用することができる。
【００４９】
また、冷却系については、例えば反射ミラー２４・３４を、赤外線を透過させるコールドミラーで構成すれば、発光部２１・３１から発光される光のうちで、白色光だけがコールドミラーで反射されてコンデンサーレンズ４１に入射する一方、赤外線はコールドミラーを透過して、コンデンサーレンズ４１には入射しない。したがって、コンデンサーレンズ４１以降の光学素子（例えばカラーホイール１３）への熱負担を確実に低減することができる。また、反射ミラー２４・３４の間のスペースに、反射ミラー２４・３４を透過した赤外線を吸収する部材を設ければ、反射ミラー２４・３４を透過した赤外線が発光部２１・３１に当たることがないので、発光部２１・３１の安定性（冷却バランス）が向上し、その信頼性も向上する。
【００５０】
また、コンデンサーレンズ４１は、第１の光源部１１および第２の光源部１２で共有されているので、各出射光の利用効率を低下させずに、第１の光源部１１および第２の光源部１２をインテグレータロッド１５から遠ざけて配置することが可能となる。これにより、インテグレータロッド１５とコンデンサーレンズ４１との間に、第１の光源部１１および第２の光源部１２と干渉しないようにカラーホイール１３を配置することが可能となる。つまり、インテグレータロッド１５とコンデンサーレンズ４１との間に、カラーホイール１３を配置するスペースを確保することができる。
【００５１】
したがって、本実施形態のように、インテグレータロッド１５の光入射側にカラーホイール１３を配置すれば、カラーホイール１３の各色フィルタ１３Ｒ・１３Ｇ・１３Ｂの境界付近を光が通過しても、混色の光がインテグレータロッド１５でミキシングされてＤＭＤ２に供給されるので、カラーホイール１３をインテグレータロッド１５の光出射側に配置したときに生じるような、ＤＭＤ２の素子面上での部分的な色むらは生じない。したがって、混色が発生するカラーホイール１３の回転位置でＤＭＤ２の各ミラーをＯＦＦにすることなく画像投影を行うことができ、光の利用効率が低下することはない。
【００５２】
また、本実施形態では、コンデンサーレンズ４２が第１の光源部１１と第２の光源部１２とで共有されているので、コンデンサーレンズの枚数を全体として減らすことができ、部品点数を削減できる効果もある。
【００５３】
また、本実施形態では、インテグレータロッド１５に不要な色光が入射しないため、インテグレータロッド１５への熱負荷や、インテグレータロッド１５の光入射面１５ａにおける反射防止コートの耐光性についての負荷が軽減される。これにより、インテグレータロッド１５の信頼性を向上させることができるとともに、インテグレータロッド１５を安価な材料（例えばガラス）で構成し、コストダウンを図ることも可能となる。
【００５４】
以上、２つの反射ミラー２４・３４とコンデンサーレンズ４１とを設ける構成により、各光源部を対向配置することができる。また、各光源部の過熱を防ぎ、冷却しやすくなる上に、インテグレータロッド１５へのＮＡを確保して入射効率を維持したまま、各光源部をインテグレータロッド１５から離間して配置することができ、スペース的にインテグレータロッド１５の光入射側にカラーホイール１３を配置することが可能となる。
【００５５】
（３．各出射光のカラーホイールへの入射のさせ方について）
次に、本発明の特徴部分である、第１の光源部１１および第２の光源部１２からの各出射光のカラーホイール１３への入射のさせ方について説明する。
【００５６】
まず、図２に示すように、本実施形態では、カラーホイール１３に入射する各出射光の各基準軸Ａ・Ｂがカラーホイール１３上で互いに離間するように、第１の光源部１１および第２の光源部１２を構成し、配置している。このように各出射光をカラーホイール１３に入射させることにより、カラーホイール１３上では、各出射光の光束が完全に重畳することがないので、大きな熱エネルギーがカラーホイール１３上で１点に集中して発生することがない。カラーホイール１３の各色フィルタ１３Ｒ・１３ＧＧ・１３Ｒ（図１参照）は、例えば誘電体膜で形成されており、耐熱性に劣るが、本実施形態では、各出射光の上述した入射のさせ方により、大きな熱エネルギーがカラーホイール１３上で１点に集中して発生することがないので、カラーホイール１３の特性が劣化したり（温度上昇によって設計時と色ずれが生じたり）、カラーホイール１３が割れたりするのを回避することができる。
【００５７】
また、カラーホイール１３に入射する各出射光の各基準軸Ａ・Ｂを互いに離間させることで、熱エネルギーによるカラーホイール１３の特性劣化を回避できるので、本実施形態のように、インテグレータロッド１５を光路中に設ける場合でも、カラーホイール１３をインテグレータロッド１５の光入射側、すなわち、熱の影響を受けやすい第１の光源部１１および第２の光源部１２に近い側に配置することができる。したがって、各出射光の各基準軸Ａ・Ｂをカラーホイール１３上で離間させることは、ＤＭＤ２の素子面上での部分的な色むらの発生を抑えるという上述した効果にもつながる。
【００５８】
また、図１は、カラーホイール１３の概略の構成を示すとともに、カラーホイール１３とそれに入射する各出射光の光束との位置関係を模式的に示す説明図である。なお、同図中、第１の光源部１１から出射される光束を１１ａとし、第２の光源部１２から出射される光束を１１ｂとする。また、隣り合う色フィルタ１３Ｒ・１３Ｇの境界線をＰ１とし、隣り合う色フィルタ１３Ｇ・１３Ｂの境界線をＰ２とし、隣り合う色フィルタ１３Ｂ・１３Ｒの境界線をＰ３とする。
【００５９】
本実施形態では、カラーホイール１３の各色フィルタ１３Ｒ・１３Ｇ・１３Ｂは、回転時に境界線Ｐ１・Ｐ２・Ｐ３が各基準軸Ａ・Ｂを略同時に横切る形状で形成されている。より詳細には、境界線Ｐ１・Ｐ２・Ｐ３は、カラーホイール１３の回転中心から半径方向に沿って形成されており、隣り合う境界線のなす角度（中心角）は１２０°となっている。隣り合う境界線とカラーホイール１３の内周および外周とで囲まれた領域が各色フィルタ１３Ｒ・１３Ｇ・１３Ｂの形成領域となる。
【００６０】
このような各色フィルタ１３Ｒ・１３Ｇ・１３Ｂの形状により、２つの光束１１ａ・１１ｂの合成方向と各色フィルタ１３Ｒ・１３Ｇ・１３Ｂの走査方向（回転移動方向）とは垂直となり、カラーホイール１３の回転時には、境界線Ｐ１・Ｐ２・Ｐ３のそれぞれが、各基準軸Ａ・Ｂを略同時に横切る。これにより、第１の光源部１１および第２の光源部１２からの各出射光がカラーホイール１３の隣り合う色フィルタにまたがって入射するときでも、カラーホイール１３の１回転の時間に対する隣り合う色フィルタにまたがって入射している時間（色光の切り替え時間）の割合を各出射光のトータルで最小限に抑えることができる。したがって、カラーホイール１３の通過時における光の混色を最小限に抑えることができ、上記混色に起因する投影画像の画質劣化を回避することができる。
【００６１】
また、色光の切り替え時間の割合が小さくなるので、混色が発生するカラーホイール１３の回転位置でＤＭＤ２をＯＦＦにしなくても、混色光の供給による投影画像への影響を極力抑えることができ、効率よくＤＭＤ２を照明できるとともに明るい照明系を実現することができる。さらに、色光の切り替え時間の割合が小さくなることで、色純度を向上させることもできる。
【００６２】
また、各色フィルタ１３Ｒ・１３Ｇ・１３Ｂの上記形状により、カラーホイール１３の回転によって隣り合う色フィルタの境界線が各基準軸Ａ・Ｂを略同時に横切るとき、第１の光源部１１および第２の光源部１２からの各出射光（複数の光束１１ａ・１１ｂ）は、上記境界線の方向に並んでカラーホイール１３に入射している。このことから、複数の光束１１ａ・１１ｂが、回転するカラーホイール１３の同じ境界線（例えば境界線Ｐ１）に入射するときに、上記境界線の方向に並んで入射するような入射の仕方であっても、上述したような混色に起因する投影画像の画質劣化を回避することができると言える。
【００６３】
ところで、各色フィルタ１３Ｒ・１３Ｇ・１３Ｂの形状は、図１のような形状に限定されるわけではない。図４は、カラーホイール１３の他の構成例を示すとともに、カラーホイール１３とそれに入射する各出射光の光束との位置関係を模式的に示す説明図である。各色フィルタ１３Ｒ・１３Ｇ・１３Ｂの形状は、境界線Ｐ１・Ｐ２・Ｐ３と、カラーホイール１３の内周および外周とで特定されるので、図４に示すように、カラーホイール１３の半径方向に対して境界線Ｐ１・Ｐ２・Ｐ３が傾くように、境界線Ｐ１・Ｐ２・Ｐ３の方向を変更することで、各色フィルタ１３Ｒ・１３Ｇ・１３Ｂの形状を変更することができる。ただし、各色フィルタ１３Ｒ・１３Ｇ・１３Ｂの形状が、回転時に隣り合う色フィルタの境界線Ｐ１・Ｐ２・Ｐ３が各基準軸Ａ・Ｂを略同時に横切る形状となるように、境界線Ｐ１・Ｐ２・Ｐ３の方向を設定する必要がある。
【００６４】
例えば、画像投影装置として高さ方向を抑えたいなど、カラーホイール１３の高さ方向に制約がある場合や、第１の光源部１１および第２の光源部１２の配置に制約がある場合には、図４に示すようなカラーホイール１３を用いることで、上述した本発明の効果を得ながら、そのような要求にも対応することができる。
【００６５】
また、図５は、照明光学系１の主要部の他の構成を示す平面図である。同図に示すように、インテグレータロッド１５の代わりにテーパーロッド５１を用いてもよい。テーパーロッド５１は、光出射面５１ｂよりも光入射面５１ａのほうが面積の広いインテグレータロッドである。このようなテーパーロッド５１を合成部として用いることにより、光出射面１５ｂおよび光入射面１５ａの面積が同じであるインテグレータロッド１５を用いる場合に比べて、第１の光源部１１および第２の光源部１２からの各出射光の取り込み効率を上げることができ、各出射光を有効利用することができる。
【００６６】
特に、テーパーロッド５１の光入射面５１ａに入射する各出射光の基準軸Ａ・Ｂが光入射面５１ａ上で離間する方向に光入射面５１ａの長辺方向を広げたテーパー形状とすることにより、各出射光の取り込み効率をさらに上げることができる。
【００６７】
また、図５では、各出射光の基準軸Ａ・Ｂの離間方向がテーパーロッド５１の光入射面５１ａの長辺方向となるように、テーパーロッド５１に合わせて、偏向部材１４も傾けて（テーパーロッド５１の光軸を中心に回転させて）配置している。この傾きに対応して、各発光部２１・３１の高さ位置（図４の紙面に対して垂直方向の位置）を調整すれば、基準軸Ａ・Ｂの離間方向が光入射面５１ａの長辺方向となり、各出射光がテーパーロッド５１に入射しやすくなる。
【００６８】
なお、テーパーロッド５１を用いる場合は、テーパーにした方向（光入射面５１ａの長辺方向）の開口数ＮＡが大きくなるので、それに対応したリレーレンズ群１６や投影光学系３を用いる必要があるが、システム全体を考慮して用いればよい。
【００６９】
（４．偏向部材について）
次に、偏向部材１４の詳細について説明する。図６は、偏向部材１４の詳細な構成を示す平面図である。偏向部材１４は、各基準軸Ａ・Ｂを含む平面に沿った断面内でのインテグレータロッド１５の光軸Ｃに沿った方向の厚さが、光軸Ｃから最も離れた位置で最も厚く、光軸Ｃ上で最も薄くなる形状となっている。
【００７０】
より詳細には、偏向部材１４は、光出射側に面１４ａ・１４ｂを有しており、光入射側に面１４ｃ・１４ｄを有している。面１４ａは、第１の光源部１１からの出射光を屈折させる第１の光出射面であり、面１４ｂは、第２の光源部１２からの出射光を屈折させる第２の光出射面である。また、面１４ｃは、第１の光源部１１からの出射光を屈折させる第１の光入射面であり、面１４ｄは、第２の光源部１２からの出射光を屈折させる第２の光入射面である。面１４ａ・１４ｂは、その光軸Ｃ側の端部が光軸Ｃとは反対側の端部よりも光入射側の面１４ｃ・１４ｄに近づくように光軸Ｃに対して傾いて配置されている。このような面１４ａ・１４ｂの配置により、偏向部材１４の上記形状を実現することができる。なお、光入射側の面１４ｃ・１４ｄは、その光軸Ｃ側の端部が光軸Ｃとは反対側の端部よりも光出射側の面１４ａ・１４ｂに近づくように光軸Ｃに対して傾いて配置されていてもよい。
【００７１】
このような形状で偏向部材１４が構成されていれば、インテグレータロッド１５に入射する直前の各出射光の基準軸Ａ・Ｂがインテグレータロッド１５の光入射面１５ａに対して略垂直となるように、第１の光源部１１および第２の光源部１２からの各出射光を偏向部材１４によって確実に偏向（屈折）させることができる。なお、略垂直とは、完全に垂直な場合を含むほか、完全に垂直な場合から若干ずれる場合も含む。
【００７２】
上記のように、インテグレータロッド１５に入射する直前の各出射光の基準軸Ａ・Ｂがインテグレータロッド１５の光入射面１５ａに対して略垂直となれば、１灯のみで画像投影を行う場合でも、投影画像の品位を向上させることができる。その理由は、以下の通りである。
【００７３】
インテグレータロッド１５の長さが無限であれば、インテグレータロッド１５の光入射面１５ａに対する光の入射角が大きくなっても、インテグレータロッド１５内部での全反射によって光出射面１５ｂからは照度分布の十分均一な光が出射されるものと思われる。しかし、インテグレータロッド１５の長さは、実際には有限であるので、光入射面１５ａに対する光の入射角が大きくなると、インテグレータロッド１５にて照度分布を十分には均一化しきれない。また、リレーレンズ群１６や投影光学系３の瞳内（絞り位置）での光量分布は、インテグレータロッド１５に入射する光の光軸Ｃに対する角度分布を保存しており、光入射面１５ａに対する入射角が大きくなると、上記光量分布も均一から崩れる。
【００７４】
以上のことから、リレーレンズ群１６等の瞳内の光量分布を均一化するためには、長さが有限であるインテグレータロッド１５の光入射面１５ａに入射する光が持つ光軸Ｃに対する角度分布を均等に（光軸Ｃに沿った軸に対して対称となるように）すればよいと言える。したがって、上述した偏向部材１４の構成によって、インテグレータロッド１５に入射する直前の各出射光の基準軸Ａ・Ｂを、インテグレータロッド１５の光入射面１５ａに対して略垂直にすれば、インテグレータロッド１５に入射する直前の各出射光の光軸Ｃに対する角度分布が略均等となるので、各出射光のそれぞれについて、リレーレンズ群１６等の瞳内の光量分布を均一化することができる。つまり、第１の光源部１１からの出射光のみが偏向部材１４を介してインテグレータロッド１５に入射する場合でも、第２の光源部１２からの出射光のみが偏向部材１４を介してインテグレータロッド１５に入射する場合でも、リレーレンズ群１６等の瞳内の光量分布を均一化することができる。
【００７５】
なお、インテグレータロッド１５の光入射面１５ａの中心からずれた位置に光が入射しても、インテグレータロッド１５の長さが有限である以上、リレーレンズ群１６等の瞳内の光量分布は均一から多少崩れるが、その崩れは、入射光の角度分布が均一から崩れる場合ほど大きくはなく、入射光の角度分布を均一にすることによって十分に補うことが可能である。
【００７６】
このように、インテグレータロッド１５に入射する直前の各出射光の基準軸Ａ・Ｂを、インテグレータロッド１５の光入射面１５ａに対して略垂直にすることにより、第１の光源部１１と第２の光源部１２とのうちのいずれか一方だけを用いて画像投影を行う場合でも、リレーレンズ群１６の瞳内の光量分布を均一化することができる。これにより、１灯だけで画像投影を行う場合でも、ＤＭＤ２の素子面上で照度むらが生じるのを回避することができるとともに、ＤＭＤ２を介してスクリーンに投影される画像に照度むらが生じるのを回避することができ、投影画像の品位を向上させることができる。
【００７７】
なお、１灯だけで画像投影を行う場合とは、例えば、一方の光源部が破損により点灯しない場合や、ロングライフや省エネルギーを考えて１灯のみしか故意に点灯させない場合を考えることができる。
【００７８】
（５．その他）
なお、本実施形態では、各光源部の第１集光部を、回転放物面鏡およびコンデンサーレンズで構成した例について説明したが、回転楕円鏡で構成することも可能である。この場合、回転楕円鏡の一方の焦点位置に発光部を位置させ、他方の焦点位置に合成部の光入射面を位置させればよい。
【図面の簡単な説明】
【００７９】
【図１】本発明の実施の一形態に係る画像投影装置に用いられる照明光学系のカラーホイールの概略の構成を示すとともに、上記カラーホイールとそれに入射する各出射光の光束との位置関係を模式的に示す説明図である。
【図２】上記画像投影装置の概略の構成を模式的に示す平面図である。
【図３】上記画像投影装置の側面図である。
【図４】上記カラーホイールの他の構成例を示すとともに、上記カラーホイールとそれに入射する各出射光の光束との位置関係を模式的に示す説明図である。
【図５】上記照明光学系の他の構成を示す平面図である。
【図６】上記照明光学系の偏向部材の詳細な構成を示す平面図である。
【符号の説明】
【００８０】
１    照明光学系
２    ＤＭＤ（光変調素子）
３    投影光学系
１１    第１の光源部
１２    第２の光源部
１３    カラーホイール（時分割色分解手段）
１３Ｒ  色フィルタ
１３Ｇ  色フィルタ
１３Ｂ  色フィルタ
１４    偏向部材
１５    インテグレータロッド（合成部）
１５ａ  光入射面
１５ｂ  光出射面
２１    発光部
２２    回転放物面鏡（第１集光部）
２３    コンデンサーレンズ（第１集光部）
２４    反射ミラー
３１    発光部
３２    回転放物面鏡（第１集光部）
３３    コンデンサーレンズ（第１集光部）
３４    反射ミラー
４１    コンデンサーレンズ（第２集光部）
５１    テーパーロッド（合成部）
Ａ    光軸
Ｂ    光軸
Ｃ    光軸
【図１】
2006308777.tif 000003
【図２】
2006308777.tif 000004
【図３】
2006308777.tif 000005
【図４】
2006308777.tif 000006
【図５】
2006308777.tif 000007
【図６】
2006308777.tif 000008